【手続補正書】
【提出日】平成27年10月9日(2015.10.9)
【手続補正１】
【補正対象書類名】明細書
【補正対象項目名】０１３１
【補正方法】変更
【補正の内容】
【０１３１】
例示的実施形態の液体処理コア、空気処理サドル、エアキャップ、これらの構成要素のスプレーヘッドアセンブリへの組み立て、スプレーガンを形成するためのこのようなアセンブリのスプレーガンプラットフォームへの接続などについて説明し、可能な変形について言及してきた。本明細書で開示された具体的な代表的構造、特徴、詳細、形態などは、改変することができ、及び／又は数多くの実施形態で組み合わせることができることが、当業者には明らかであろう。そのような変形及び組み合わせは全て、本発明者により、本考案の発明の範囲内にあるものとして考えられる。したがって、本発明の範囲は、本明細書に記載される特定の例示的構造に限定されるべきではないが、むしろ少なくとも請求項の言語によって説明される構造、及びそれらの構造に相当する構造にまで拡大する。本明細書で使用するとき、用語「液体」とは、スプレーガン又は他のスプレー装置を使用して、表面に適用することができる、全ての形態の流動性材料（それらが、表面を着色することを目的とするか否かに関わらず）を指し、それらの流動性材料としては（限定するものではないが）、塗料、プライマー、ベースコート、ラッカー、ワニス、及び同様の塗料様材料、並びに、例えば、接着剤、シーラー、充填剤、パテ、粉末コーティング、発破用粉末、研磨スラリー、農業用液体／溶液（例えば、肥料、除草剤、殺虫剤など）、離型剤、鋳造仕上げ剤などのような、他の材料が挙げられ、これらは、一部の実施形態では、その材料の特性及び／又は目的とする用途に応じて、霧化形態で適用することができる。用語「液体」は、それに従って解釈されたい。用語「空気」は、便宜上使用されており、任意の好適なガス状組成物又は混合物（例えば、窒素、不活性ガスなど）の使用を広く包含する。用語「霧化」は、同様に便宜上使用されており、液体を微細なスプレーに変換することを指し、液体を個々の分子又は原子に変換することを求めるものではない。特性又は特質に対する修飾語句として本明細書で使用するとき、用語「概ね」は、絶対的な精度又は完璧な一致を求めるものではないが、特性又は特質が当業者により容易に理解できるであろうことを表し（例えば、定量化可能な特性に関して＋／−２０％以内）、用語「実質的に」は、重ねて絶対的な精度又は完璧な一致を求めるものではないが、高度な近似を表す（例えば、定量化可能な特性に関して＋／−５％以内）。記載される本明細書と、参照により本明細書に組み込まれている全ての文書内の開示との間に不一致又は矛盾が存在する場合、記載される本明細書が優先する。
本発明の実施態様の一部を以下の項目［１］−［２１］に記載する。
[１]
液体スプレーガンプラットフォームと共に使用するためのスプレーヘッドアセンブリであって、
前記液体スプレーガンプラットフォームに取り付け可能な空気処理サドルと、前記空気処理サドルに取り付け可能なエアキャップと、前記空気処理サドル内に摺動自在に係合可能であり、かつ前記エアキャップの前記空気処理サドルへの取り付けによりその内部の係合位置に固定可能である、液体処理コアと、を備える、スプレーヘッドアセンブリ。
[２]
前記サドルが、前記液体スプレーガンプラットフォームに取り外し自在に取り付け可能である、項目１に記載のスプレーヘッドアセンブリ。
[３]
前記サドルが、前記液体スプレーガンプラットフォームに取り外し不能に取り付けられる、項目１に記載のスプレーヘッドアセンブリ。
[４]
前記エアキャップが、前記液体処理コアの液体処理通路出口を越えて前方に突出する２つのエアホーンを含む、及び前記液体処理コアの前記液体処理通路出口を通過する液体流の方向に概ね一致する軸線の両側に位置する開口部を集合的に含む、一体成形プラスチックの一体部分である、項目１に記載のスプレーヘッドアセンブリ。
[５]
前記エアキャップが、一体成形プラスチックの一体部分であり、前記エアキャップが、前記エアキャップと一体型であり、かつ一体成形された、前記エアキャップの取り付け機構によって前記サドルに取り付け可能である、項目１に記載のスプレーヘッドアセンブリ。
[６]
前記液体処理コアの液体処理通路の液体処理通路出口が、前記スプレーヘッドアセンブリの液体スプレー開口部を提供し、前記液体処理通路出口の近位にある前記液体処理コアの部分の概ね径方向外向き表面と、前記エアキャップのフランジ内の開口部の概ね径方向内向き表面とが、前記スプレーヘッドアセンブリの中心空気開口部を集合的に提供する、項目１に記載のスプレーヘッドアセンブリ。
[７]
前記スプレーヘッドアセンブリが、ノズルインサートを備え、前記ノズルインサートが、
前記液体処理コアの前記液体処理通路出口から出てくる液体を受容するように構成される、及び前記スプレーヘッドアセンブリの液体スプレー開口部を提供するノズルインサートの液体処理導管入口と流体連通する、ノズルインサートの液体処理導管と、
前記サドルの少なくとも１つの中心空気通路から出てくる空気を受容するように構成される、及び前記スプレーヘッドアセンブリの中心空気開口部を提供するノズルインサートの中心空気導管出口と流体連通する、少なくとも１つのノズルインサートの中心空気導管と、を含む、項目１に記載のスプレーヘッドアセンブリ。
[８]
前記エアキャップが、一体型エアキャップノズルを含み、前記一体型エアキャップノズルが、
前記液体処理コアの前記液体処理通路出口から出てくる液体を受容するように構成される、及び前記スプレーヘッドアセンブリの液体スプレー開口部を提供する一体型ノズルの液体処理導管入口と流体連通する、一体型エアキャップノズルの液体処理導管と、
前記サドルの前記少なくとも１つの中心空気通路から出てくる空気を受容するように構成される、及び前記スプレーヘッドアセンブリの中心空気開口部を提供する一体型エアキャップノズルの中心空気導管出口と流体連通する、少なくとも１つの一体型エアキャップノズルの中心空気導管と、を含む、項目１に記載のスプレーヘッドアセンブリ。
[９]
前記液体処理コアが、一体型液体処理コアノズルを含み、前記一体型液体処理コアノズルが、
前記スプレーヘッドアセンブリの液体スプレー開口部を提供する出口と流体連通する、一体型液体処理コアノズルの液体処理導管と、
前記サドルの前記少なくとも１つの中心空気通路から出てくる空気を受容するように構成される、及び前記スプレーヘッドアセンブリの中心空気開口部を提供する一体型液体処理コアノズルの中心空気出口と流体連通する、少なくとも１つの一体型液体処理コアノズルの中心空気導管と、を含む、項目１に記載のスプレーヘッドアセンブリ。
[１０]
前記液体処理コアが、中空シャフトを含み、前記中空シャフトが、
少なくとも一部が前記液体処理コアの前記液体処理通路の少なくとも最前部を含む細長い内部チャンバと、
前記中空シャフトの前記細長い内部チャンバを通過する液体流の方向に概ね一致する長手方向軸線と、を含み、
前記液体処理コアが、前記液体処理コアの前記中空シャフトの長手方向軸線に概ね一致する軸線に沿って、前記スプレーヘッドアセンブリの後方方向で前記サドル内に摺動自在に係合可能である、項目１に記載のスプレーヘッドアセンブリ。
[１１]
前記液体処理コアが、中空の傾斜突出部を含み、前記中空の傾斜突出部が、
前記液体処理コアの前記中空シャフトからある角度で外側に突出し、
前記コアの液体処理通路入口を含み、
前記コアの前記液体処理通路入口と流体連通している、及び液体処理接合部により前記液体処理コアの前記中空シャフトの前記細長い内部チャンバと流体連通している、液体入路を含む、項目１０に記載のスプレーヘッドアセンブリ。
[１２]
前記サドルが、
中心空気通路入口から中心空気通路出口まで延びる少なくとも１つの中心空気通路と、
ファン空気通路入口からファン空気通路出口まで延びる少なくとも１つのファン空気通路と、
前記サドルの最後端部から前記サドルの最前端部まで前記サドルの長手方向の空間を通って延びる、及び前記液体処理コアの少なくとも前記中空シャフトを摺動自在に受容するように構成される、細長い空洞と、を含む、項目１０に記載のスプレーヘッドアセンブリ。
[１３]
前記液体処理コアがその前記空気処理サドル内の摺動自在な係合位置にあるとき、前記コア及びサドルが、中心空気送達環及びファン空気送達環を集合的に提供し、前記エアキャップを前記サドルに取り付けるとき、
前記コア及びサドルにより提供される前記中心空気送達環が、前記エアキャップの少なくとも一部の表面と組み合わされて、中心空気を前記スプレーヘッドアセンブリの中心空気開口部に分配するように構成される中心空気チャンバを少なくとも部分的に画定し、
前記コア及びサドルにより提供される前記ファン空気送達環が、前記エアキャップの少なくとも一部の表面と組み合わされて、ファン空気を前記液体処理コアの液体処理通路出口を越えて前方に突出する少なくとも２つのエアホーンに分配するように構成されるファン空気チャンバを提供する、項目１に記載のスプレーヘッドアセンブリ。
[１４]
前記液体処理コアが、前記液体処理コアを前記空気処理サドル内に摺動自在に係合するとき、少なくとも１つの空気処理サドルの位置合わせ機構と摺動自在に係合及び嵌合するように構成される、少なくとも１つの液体処理コアの位置合わせ機構を含む、項目１に記載のスプレーヘッドアセンブリ。
[１５]
前記液体処理コアの位置合わせ機構及び前記空気処理サドルの位置合わせ機構が、前記液体処理コアが前記空気処理サドルから摺動自在に係合解除されるのを妨げないように、前記液体処理コアの中空シャフトの長手方向軸線に概ね平行な軸線に沿って互いに摺動自在に係合するように構成される、項目１４に記載のスプレーヘッドアセンブリ。
[１６]
前記液体処理コアが、前記液体処理コアの中空シャフトの長手方向軸線に概ね一致する軸線に沿って後方方向で前記空気処理サドル内に摺動自在に係合可能である、項目１に記載のスプレーヘッドアセンブリ。
[１７]
前記液体処理コアがその前記空気処理サドル内の係合位置にあるとき、前記液体処理コア及び前記空気処理サドルの表面間の接触領域にある、前記液体処理コア及び前記空気処理サドルの全ての表面が、硬質表面である、項目１に記載のスプレーヘッドアセンブリ。
[１８]
液体スプレーガンプラットフォームに取り付けられた項目１に記載のスプレーヘッドアセンブリを備える、スプレーガン。
[１９]
スプレーヘッドアセンブリの液体処理コアを交換する方法であって、
エアキャップを前記スプレーヘッドアセンブリの空気処理サドルから取り外すことと、
第１の液体処理コアを前記空気処理サドルから摺動自在に係合解除して、前記コアを前記サドルとの接触から解除することと、
第２の液体処理コアを前記空気処理サドル内に摺動自在に係合することと、
前記エアキャップの前記空気処理サドルへの取り付けにより前記第２の液体処理コアを前記空気処理サドル内の適所に固定するように、エアキャップを前記空気処理サドルに取り付けることと、を含む、方法。
[２０]
液体スプレーガンプラットフォームと共に使用するためのスプレーヘッドアセンブリであって、
前記液体スプレーガンプラットフォームに取り付け可能な空気処理サドルと、前記空気処理サドルに取り付け可能なエアキャップと、前記空気処理サドル内に摺動自在に係合可能な液体処理コアと、を備え、
前記空気処理サドルが、少なくとも１つの中心空気通路及び少なくとも１つのファン空気通路を含む一体成形プラスチックの一体部分からなる、スプレーヘッドアセンブリ。
[２１]
液体スプレーガンプラットフォームと共に使用するためのスプレーヘッドアセンブリであって、
前記液体スプレーガンプラットフォームに取り付け可能な空気処理サドルと、前記空気処理サドルに取り付け可能なエアキャップと、前記空気処理サドル内に摺動自在に係合可能な液体処理コアと、を備え、
前記液体処理コアが、前記サドルから取り外し可能であり、かつ使い捨てである、成形プラスチックの一体部分からなり、
前記液体処理コアが、前記液体スプレーガンプラットフォームから前記液体処理コアと共に取り外し可能なニードルを含まず、
前記液体処理コアが、中心空気通路若しくはファン空気通路を含まない、又はそのいずれの部分も提供せず、
前記液体処理コアの液体処理通路が、前記液体処理コアの中空シャフトから概ね径方向外側に突出する中空突出部内にある液体入路を、前記液体処理コアの前記中空シャフト内の細長いチャンバと流体連通する液体処理接合部を含み、
前記コアを前記空気処理サドル内に摺動自在に係合して、前記空気処理サドルを前記液体スプレーガンプラットフォームに取り付けるとき、前記液体スプレーガンプラットフォームの部分が、前記液体処理コアの前記液体処理通路の前記液体処理接合部の前方に位置しない、スプレーヘッドアセンブリ。
【手続補正２】
【補正対象書類名】特許請求の範囲
【補正対象項目名】全文
【補正方法】変更
【補正の内容】
【特許請求の範囲】
【請求項１】
液体スプレーガンプラットフォームと共に使用するためのスプレーヘッドアセンブリであって、
前記液体スプレーガンプラットフォームに取り付け可能な空気処理サドルと、前記空気処理サドルに取り付け可能なエアキャップと、前記空気処理サドル内に摺動自在に係合可能であり、かつ前記エアキャップの前記空気処理サドルへの取り付けによりその内部の係合位置に固定可能である、液体処理コアと、を備える、スプレーヘッドアセンブリ。
【請求項２】
液体スプレーガンプラットフォームに取り付けられた請求項１に記載のスプレーヘッドアセンブリを備える、スプレーガン。
【請求項３】
スプレーヘッドアセンブリの液体処理コアを交換する方法であって、
エアキャップを前記スプレーヘッドアセンブリの空気処理サドルから取り外すことと、
第１の液体処理コアを前記空気処理サドルから摺動自在に係合解除して、前記コアを前記サドルとの接触から解除することと、
第２の液体処理コアを前記空気処理サドル内に摺動自在に係合することと、
前記エアキャップの前記空気処理サドルへの取り付けにより前記第２の液体処理コアを前記空気処理サドル内の適所に固定するように、エアキャップを前記空気処理サドルに取り付けることと、を含む、方法。
【請求項４】
液体スプレーガンプラットフォームと共に使用するためのスプレーヘッドアセンブリであって、
前記液体スプレーガンプラットフォームに取り付け可能な空気処理サドルと、前記空気処理サドルに取り付け可能なエアキャップと、前記空気処理サドル内に摺動自在に係合可能な液体処理コアと、を備え、
前記空気処理サドルが、少なくとも１つの中心空気通路及び少なくとも１つのファン空気通路を含む一体成形プラスチックの一体部分からなる、スプレーヘッドアセンブリ。
【請求項５】
液体スプレーガンプラットフォームと共に使用するためのスプレーヘッドアセンブリであって、
前記液体スプレーガンプラットフォームに取り付け可能な空気処理サドルと、前記空気処理サドルに取り付け可能なエアキャップと、前記空気処理サドル内に摺動自在に係合可能な液体処理コアと、を備え、
前記液体処理コアが、前記サドルから取り外し可能であり、かつ使い捨てである、成形プラスチックの一体部分からなり、
前記液体処理コアが、前記液体スプレーガンプラットフォームから前記液体処理コアと共に取り外し可能なニードルを含まず、
前記液体処理コアが、中心空気通路若しくはファン空気通路を含まない、又はそのいずれの部分も提供せず、
前記液体処理コアの液体処理通路が、前記液体処理コアの中空シャフトから概ね径方向外側に突出する中空突出部内にある液体入路を、前記液体処理コアの前記中空シャフト内の細長いチャンバと流体連通する液体処理接合部を含み、
前記コアを前記空気処理サドル内に摺動自在に係合して、前記空気処理サドルを前記液体スプレーガンプラットフォームに取り付けるとき、前記液体スプレーガンプラットフォームの部分が、前記液体処理コアの前記液体処理通路の前記液体処理接合部の前方に位置しない、スプレーヘッドアセンブリ。